(57)【要約】【課題】サイフォン排水システムの横引き管をスラブ上に通管する際に、管の先端に傷が着かない通管するシステムを提案するものである。【解決手段】  住宅のリフォーム時の排水システムを、サイフォン排水システムに変更した横引き管の通管システムであって、スラブ上に所定の間隔を隔てて床が敷設され、スラブと床との間に横引き管を通管するに際し、通管する管の先端にその先端より内表面或いは外表面を保護材にて覆いつつ通管することを特徴とする横引き管の通管システム。３０‥管（横引き管）、４０‥保護材、４１‥保護材の筒体、４２‥保護材の係止部、５０‥案内線、Ｆ‥床、Ｓ‥スラブ。【選択図】図５
2008111263.tif 000002
【特許請求の範囲】
【請求項１】
サイフォン排水システムにおいて、横引き管を通管するに際し、通管する管の先端の内表面或いは外表面を保護材にて覆いつつ通管することを特徴とする横引き管の通管システム。
【請求項２】
住宅のリフォーム時の排水システムを、サイフォン排水システムに変更した横引き管の通管システムであって、スラブ上に所定の間隔を隔てて床が敷設され、スラブと床との間に横引き管を通管するに際し、通管する管の先端にその先端より内表面或いは外表面を保護材にて覆いつつ通管することを特徴とする横引き管の通管システム。
【請求項３】
スラブ上に所定の間隔を隔てて床が敷設され、スラブと床との間に横引き管を通管する請求項１記載の横引き管の通管システム。
【請求項４】
床が二重床又は根太床である請求項２又は３記載の横引き管の通管システム。
【請求項５】
通管する所定部位の間に案内線を配置し、案内線に添って通管する請求項１又は２記載の横引き管の通管システム。
【請求項６】
保護材に案内線の係止部を備え、当該係止部に案内線を接続して通管する請求項１又は２記載の横引き管の通管システム。
【請求項７】
サイフォン排水システムの止水手段が横引き管の表面に接触するパッキン材である請求項１乃至６いずれか１記載の横引き管の通管システム。
【請求項８】
パッキン材がＯ−リングである請求項７記載の横引き管の通管システム。
【請求項９】
管の接続部位をワンタッチ接続構造としたサイフォン排水システムである請求項１乃至８いずれか１記載の横引き管の通管システム。
【発明の詳細な説明】
【技術分野】
【０００１】
本発明は、横引き管の通管システムであって、好ましくは、例えばワンタッチ継手を用いた排水システムにおける横引き管の先端を保護するサイフォン排水管の通管システムに係るものである。
【背景技術】
【０００２】
以下、本発明を集合住宅のリフォーム時のワンタッチ継手を用いたサイフォン排水管の通管システムをもって説明する。現在、主に集合住宅において、築２０年以上経過したストックが増えてきている。躯体自体は６０年、躯体によっては１００年もつような設計になっているが、その他の部分の老朽化が進み、建物の価値が殆ど無くなってきている。そこで、リフォームによって、建物の価値を上げることが様々な方向から図られている。
【０００３】
しかし、リフォームにおいて最も課題の大きい点は排水に関するものである。各部屋を貫く排水立て管が存在するが、その立て管が老朽化したり、現在のような設計規格に無かったころに施工されたため、元々必要な太さが確保されていなかったりと不具合が多い。それを改修するにあたっては、排水立て管自体が、各部屋（共用部）を貫いているためリフォームができなかった。その際、リフォームであるため既に床が張られている上、住民が住んでいる状態で施工しなければならなく、それらを考慮した場合、サイフォン排水を用いた排水工法が大きく期待されている。
【０００４】
サイフォン排水においては、特許文献１にて提案されているが、リフォ−ム時に対応する施工技術と言うものが殆どない状態である。
【０００５】
【特許文献１】特開２０００−２９７４４７号公報
【０００６】
サイフォン排水システムの基本的な構成は、図１にその概要を示すように、排水立て管１と、水廻り器具２と、水廻り器具２に接続された横引き管３と、からなっており、各水廻り器具２から伸びる横引き管３が合流することなく排水立て管１に所定の水頭差Ｈｓをもって合流部４に接続された排水システムである。そして、最大の特徴は横引き管３がスラブＳに対して無勾配で敷設されることであり、横引き管３内の水は満流にて流れ、水頭差Ｈｓによって下方に吸引力がかかり、横引き管３内の水が急速に吸引・排水される排水システムである。図中、Ｆは床である。
【０００７】
そして、好ましい排水システムとしては、管同士の接続や管と器具との接続にあって、管を簡単に接続・脱離できるような接続手段を採用することが施工工期の短縮に最も望まれることである。かかる接続手段としていわゆるワンタッチタイプの継手がある（特許文献２、３）。
【０００８】
【特許文献２】特開平２００１−０７４１７８号公報
【０００９】
【特許文献３】特開平２００２−００５３７３号公報
【００１０】
特許文献２に示すワンタッチ継手１０は、図２に示すように継手基体１１内に止水リング１２と、管保持リング１３とを内蔵したものであり、止水リング１２は継手基体１１内に差し込まれる管の外表面に圧接して止水機能を発揮するものであり、管保持リング１３には爪１３ａが備えられ、これが差し込まれた管の外表面に食い込んで管の抜けを防止する構造となっている。図中、１４はキャップである。
【００１１】
特許文献３に示すワンタッチ継手２０は、図３に示すように継手基体２１内に止水リング２２と、管保持リング２３とを内蔵したものであり、管の内側に嵌り込む内筒２５が備えられ、止水リング２２はこの内筒２５に嵌め込まれている。従って、止水リング２２は継手基体２１内に差し込まれる管の内表面に圧接して止水機能を発揮するものであり、一方、管保持リング２３の爪２３ａはが備えられ、これが差し込まれた管の外表面に食い込んで管の抜けを防止する構造となっている。図中、２４は外筒、２６は解放リング、２７はキャップである。
【００１２】
ここに示したワンタッチ継手は、管をキャップ内に差し込むだけでそのまま止水機能と抜け防止機能が付与させる構造となっており、例えば、給水・給湯の配管に用いた場合にはその施工性が極めて良いという特徴がある。
【００１３】
そして、図にても分かるように、ワンタッチ継手を採用する際には、差し込まれる管の外表面或いは内表面に止水リングが圧接することによって内部の流体の漏れを阻止する構造となっていることから、差し込まれる際の管の表面に傷があってはならないことが条件である。
【００１４】
さて、リフォ−ム時のサイフォン排水を採用するに当たっての課題点は、床を剥がさずにどのように配管するかになる。何故ならば、新築であれば横引き部分の配管は床材を張る前に施工するため殆ど苦労することなく配管できる。一方、リフォームの場合、実際に人が住んでいる場合が多く、住人に迷惑をかけないためにもより短期間な施工が求められる。これは、配管のみの時間ではなく、その他付帯工事までの時間も含めてである。そこで、なるべく床を剥がさない方法で施工できればべターとなる。
【００１５】
その場合、二重床の下、若しくは根太床の根太の間を可撓管を通して行くこととなるが、その空間はきわめて狭く、通管の際はスラブや、根太、床などに擦れパイプに相当の傷が付く。継手部分における傷は、漏水の危険は高い。
【発明の開示】
【発明が解決しようとする課題】
【００１６】
このように、リフォ−ム時における配管の際に、勿論、管に傷が付かない方がよいが、傷は付いても、少なくとも継手接続部分には傷を付かないようにさせた施工方法の検討が必要であった。
【００１７】
本発明はかかる課題を解決するためになされたものであって、リフォ−ム時に特に限定することなく、サイフォン排水システムの横引き管をスラブ上に通管する際に、管の先端に傷が着かない通管するシステムを提案するものである。
【課題を解決するための手段】
【００１８】
本発明の第１は、サイフォン排水システムにおいて、横引き管を通管するに際し、通管する管の先端の内表面或いは外表面を保護材にて覆いつつ通管することを特徴とする横引き管の通管システムであり、通常の形態では、スラブ上に所定の間隔を隔てて床が敷設され、スラブと床との間に横引き管を通管する通管システムである。
【００１９】
発明の第２は、住宅のリフォーム時の排水システムを、サイフォン排水システムに変更した横引き管の通管システムであって、スラブ上に所定の間隔を隔てて床が敷設され、スラブと床との間に横引き管を通管するに際し、通管する管の先端にその先端より内表面或いは外表面を保護材にて覆いつつ通管することを特徴とする横引き管の通管システムである。上記の床としては通常は二重床又は根太床である。
【００２０】
そして、通管する所定部位の間に案内線を配置し、案内線に添って通管するのが通常の方法であり、保護材に案内線の係止部を備え、当該係止部に案内線を接続して通管するシステムである。
【００２１】
尚、サイフォン排水システムの止水手段が横引き管の表面に接触するＯ−リングにて代表されるパッキン材が用いられ、好ましくは、横引き管の接続部位をワンタッチ接続構造としたサイフォン排水システムに用いられるものである。
【発明の効果】
【００２２】
本発明は以上の構成を有する通管システムであり、特に横引き管の表面にＯ−リング等のパッキン材が接触して止水機能をなすワンタッチ接続構造としたサイフォン排水システムに好適に用いられる。そして、通管の際の作業等によって管の表面に傷を付けることがなくなったもので、特に住宅のリフォ−ムの際に最もその機能を発揮するものである。
【発明を実施するための最良の形態】
【００２３】
以下、Ｏ−リングを横引き管の表面に接触して止水機能をなすワンタッチ接続構造としたサイフォン排水システムを代表して本発明を説明すると、横引き管は通常は可撓性の樹脂管が用いられ、例えば、ポリブテン管或いは架橋ポリエチレン管が用いられる。このため、スラブと床の間を管を通す際、その隙間が狭く、スラブ面や床の裏面、根太等と接触してしまうので管の外表面に傷が付きやすいことは言うまでもない。このため、管の先端を保護材にてカバ−した状態で床下を通すこととしたものである。
【００２４】
尚、主としてリフォ−ムの際にはスラブ上に床が張ってあるが、案内線を配置するには先端の方向を手元で調整できる内視鏡状の装置を用いることが好ましい。これは床下の配管を行うル−トを探しながら通す装置である。
【００２５】
尚、前記したが、本発明が適用されるサイフォン排水システムにあって、横引き管の接続はワンタッチ接続構造が好適ではあるが、特にかかる接続構造に限定されないことは言うまでもない。
【実施例】
【００２６】
以下、図面をもって更に説明する。
図４は本発明の横引き管の通管システムに用いられる管３０の先端を覆う保護材（キャップ状）４０Ａの一例を示す図である。かかる保護材４０は管３０の先端を覆う筒体４１と後述する案内線を係止する係止部４２を備えたものである。かかる筒体４１は横引き管３０の外表面に嵌め合わせて使用されるものである。かかる筒体４１によって横引き管３０の外表面を覆って傷が付かないようにしたものである。
【００２７】
図５はこの保護材４０Ａを用いた通管システムの全体図を示すものである。スラブＳと床Ｆとの間を伸びる案内線５０を配線し、この案内線５０を保護材４０Ａの係止部４２に接続したものであり、この状態で案内線５０を引っ張って後退させて横引き管３０をスラブＳと床Ｆとの間に配管するものである。
【００２８】
図６は保護材（二重キャップ状）４０Ｂの第２例であり、筒体４１に対応して内筒４３を形成したものであり、内筒４３と筒体４１の間に横引き管３０の先端を挿入してカバ−し、しかも案内線５０を引っ張った際にも抜けを阻止したものである。
【００２９】
図７は保護材４０Ｃの第３例であり、筒体４１に対して内径の大きい第２の筒体４１ａを形成したものであり、筒体４１に横引き管３０を差し込んだ際、そして、案内線５０を引っ張った場合でも第２の筒体４１ａは横引き管３０の表面に接触しない状態としたものである。即ち、筒体４１を横引き管３０の先端に接着等にて固定して抜けを防止した後に案内線５０を引っ張り、横引き管３０を通管した後、図のＡ部で横引き管３０を切断して表面に傷の付いていない横引き管３０を得るものである。
【００３０】
図８は保護材（継手状）４０Ｄの第４例であり、図６における筒体４１の内側にグラブリング４４を内蔵したものであり、これにブラケット４５を螺着したものである。内筒４３と筒体４１の間に横引き管３０の先端を挿入し、グラブリング４４を食い込ませて案内線５０を引っ張った際の抜けを阻止したものである。横引き管３０を通管した後、グラブリング４４の食い込み部を越えた部位（例えばＡ部）で横引き管３０を切断して表面に傷の付いていない横引き管３０を得るものである。尚、図２〜３にて示す継手或いはこれに類似する構造のものを保護材４０Ｄとして用いることも可能であることは勿論である。
【産業上の利用可能性】
【００３１】
以上、本発明をリフォ−ムの際に新たに採用されるサイフォン排水システムをもって本発明を説明したが、リフォ−ム以外の新築の住宅やマンション等にも採用できることは勿論であり、その利用価値は極めて高い。
【図面の簡単な説明】
【００３２】
【図１】図１はサイフォン排水システムの基本的な構成を示す図である。
【図２】図２はワンタッチ継手の第１例を示す一部切断図である。
【図３】図３はワンタッチ継手の第２例を示す一部切断図である。
【図４】図４は本発明の横引き管の通管システムに用いられる管の先端を覆う保護材の一例を示す一部切断図である。
【図５】図５は本発明の横引き管の通管システムの概要を示す図である。
【図６】図６は保護材の第２例を示す一部切断図である。
【図７】図７は保護材の第３例を示す一部切断図である。
【図８】図８は保護材の第４例を示す一部切断図である。
【符号の説明】
【００３３】
１‥排水立て管、
２‥水廻り器具、
３‥横引き管、
４‥合流部、
１０‥ワンタッチ継手、
１１‥継手基体、
１２‥止水リング、
１３‥管保持リング、
１３ａ‥爪、
１４‥キャップ、
２０‥ワンタッチ継手、
２１‥継手基体、
２２‥止水リング、
２３‥管保持リング、
２３ａ‥爪、
２４‥外筒、
２５‥内筒、
２６‥解放リング、
２７‥キャップ、
３０‥管（横引き管）、
４０Ａ、４０Ｂ、４０Ｃ、４０Ｄ‥保護材、
４１‥保護材の筒体、
４１ａ‥保護材の第２の筒体、
４２‥保護材の係止部、
４３‥保護材の内筒、
４４‥グラブリング、
４５‥ソケット、
５０‥案内線、
Ｆ‥床、
Ｓ‥スラブ。
【図１】
2008111263.tif 000003
【図２】
2008111263.tif 000004
【図３】
2008111263.tif 000005
【図４】
2008111263.tif 000006
【図５】
2008111263.tif 000007
【図６】
2008111263.tif 000008
【図７】
2008111263.tif 000009
【図８】
2008111263.tif 000010